(57)【要約】【課題】便器の使用時にシャッタに汚水や汚物が付着することを抑えることができる局部洗浄装置および便器を提供する。【解決手段】便器に設けられる局部洗浄装置において、進退可能に構成され、進出した状態で人体の局部洗浄を行う第１洗浄ノズル（洗浄ノズル）３および第２洗浄ノズル（洗浄ノズル）と、第１洗浄ノズル３および第２洗浄ノズルが進退する開口部２１ｃを開閉するシャッタ２２と、シャッタ２２のシャッタ本体２３の前面２３ａに水を供給して水膜を形成するシャッタ水膜形成部（水膜形成部）７と、を有し、シャッタ水膜形成部（水膜形成部）７は、使用者が便器を使用する時にシャッタ本体２３の前面２３ａに水を供給するように構成されている。【選択図】図７
2019173288.tif 000002
【特許請求の範囲】
【請求項１】
便器に設けられる局部洗浄装置において、
進退可能に構成され、前側に進出した状態で人体の局部洗浄を行う洗浄ノズルと、
前記洗浄ノズルが進退する開口部を開閉するシャッタと、
前記シャッタに水を供給して水膜を形成する水膜形成部と、を有し、
前記水膜形成部は、使用者が前記便器を使用する時に前記シャッタに水を供給するように構成されていることを特徴とする局部洗浄装置。
【請求項２】
前記水膜形成部は、前記洗浄ノズルが進出した状態で前記シャッタに水を供給する請求項１に記載の局部洗浄装置。
【請求項３】
前記水膜形成部は、前記洗浄ノズルが進出し局部洗浄を行う期間に前記シャッタに水を供給する請求項２に記載の局部洗浄装置。
【請求項４】
前記水膜形成部は、進出した前記洗浄ノズルが前記開口部の後方に後退した後にも前記シャッタに水を供給する請求項２または３に記載の局部洗浄装置。
【請求項５】
前記便器を使用する使用者を検知可能な検知部を有し、
前記水膜形成部は、前記検知部が前記使用者を検知すると、前記シャッタに水を供給する請求項１乃至４のいずれか一項に記載の局部洗浄装置。
【請求項６】
前記検知部は、前記便器が設けられた領域に進入した使用者を検知可能で、
前記水膜形成部は、前記検知部が前記使用者を検知すると、前記シャッタに水を供給する請求項５に記載の局部洗浄装置。
【請求項７】
前記検知部は、前記使用者が前記便器の便座に着座した着座状態を検知可能で、
前記水膜形成部は、前記検知部が前記使用者の着座状態を検知すると、前記シャッタに水を供給する請求項５または６に記載の局部洗浄装置。
【請求項８】
前記検知部は、前記使用者が前記便器の前側に起立した起立状態を検知可能で、
前記水膜形成部は、前記検知部が前記使用者の起立状態を検知すると、前記シャッタに水を供給する請求項５乃至７のいずれか一項に記載の局部洗浄装置。
【請求項９】
前記水膜形成部は、前記検知部が前記使用者を検知してから、前記洗浄ノズルが進出して局部洗浄を行い、局部洗浄を完了した前記洗浄ノズルが後退して、前記シャッタが開口部を閉鎖するまでの間に、前記シャッタに水を供給する請求項５乃至７のいずれか一項に記載の局部洗浄装置。
【請求項１０】
局部洗浄装置を有する便器において、
前記局部洗浄装置は、開口部を通って進退可能に構成され、前記開口部から前側に進出した状態で人体の局部洗浄を行う洗浄ノズルと、
前記開口部を開閉するシャッタと、
前記シャッタに水を供給して水膜を形成する水膜形成部と、を有し、
前記水膜形成部は、使用者が前記便器を使用する時に前記シャッタに水を供給するように構成されていることを特徴とする便器。
【発明の詳細な説明】
【技術分野】
【０００１】
本発明は、局部洗浄装置および便器に関する。
【背景技術】
【０００２】
従来、便座に着座した使用者の局部洗浄を行う局部洗浄装置が知られている。局部洗浄装置の洗浄ノズルは、局部洗浄を行う際に前方へ斜め下側に向かって進出し、局部洗浄が終わると後退するように構成されている。特許文献１には、洗浄ノズルが進退する開口部にこの開口部を開閉するシャッタが設けられ、シャッタにおける洗浄ノズル側の面に洗浄ノズルの先端部分へ液体を吐出する吐出口が設けられた局部洗浄装置が開示されている。この局部洗浄装置では、吐出口から吐出された液体によって洗浄ノズルの先端部分を洗浄するように構成されている。
【先行技術文献】
【特許文献】
【０００３】
【特許文献１】特開２０１４−１７３３２２号公報
【発明の概要】
【発明が解決しようとする課題】
【０００４】
局部洗浄装置のシャッタは、常時露出しているため汚れてしまうことがある。特に、便器の使用時に汚水や汚物が付着することでシャッタが汚れてしまうことが多い。
【０００５】
そこで、本発明は、便器の使用時にシャッタに汚水や汚物が付着することを抑えることができる局部洗浄装置および便器を提供することを目的とする。
【課題を解決するための手段】
【０００６】
上記目的を達成するため、本発明に係る局部洗浄装置は、便器に設けられる局部洗浄装置において、開口部を通って進退可能に構成され、前記開口部から前側に進出した状態で人体の局部洗浄を行う洗浄ノズルと、前記開口部を開閉するシャッタと、前記シャッタに水を供給して水膜を形成する水膜形成部と、を有し、前記水膜形成部は、使用者が前記便器を使用する時に前記シャッタに水を供給するように構成されていることを特徴とする。
【０００７】
また、本発明に係る便器は、局部洗浄装置を有する便器において、前記局部洗浄装置は、開口部を通って進退可能に構成され、前記開口部から前側に進出した状態で人体の局部洗浄を行う洗浄ノズルと、前記開口部を開閉するシャッタと、前記シャッタに水を供給して水膜を形成する水膜形成部と、を有し、前記水膜形成部は、使用者が前記便器を使用する時に前記シャッタに水を供給するように構成されていることを特徴とする。
【０００８】
本発明では、水膜形成部は、使用者が便器を使用するとシャッタに水を供給し、シャッタに水膜が形成するように構成されているため、シャッタに形成された水膜によって、便器の使用時にシャッタに汚水や汚物が付着することを抑えることができる。
水膜とは、所定の厚さの膜状に広がって流れる水を示し、シャッタに形成される水膜とは、シャッタを膜状に広がって流れる水を示している。
【０００９】
また、本発明に係る局部洗浄装置では、前記水膜形成部は、前記洗浄ノズルが進出した状態で前記シャッタに水を供給するように構成されていてもよい。
このように構成されていることにより、洗浄ノズルが進出している便器の使用時に、シャッタに水膜が形成されるため、シャッタに形成された水膜によって、便器の使用時にシャッタに汚水や汚物が付着することを抑えることができる。
【００１０】
また、本発明に係る局部洗浄装置では、前記水膜形成部は、前記洗浄ノズルが進出し局部洗浄を行う期間に前記シャッタに水を供給してもよい。
このような構成とすることにより、局部洗浄を行う期間にシャッタに水膜を形成することができる。このため、局部洗浄用の洗浄水が使用者や便器にあたってシャッタに向かってはね返ったとしても、シャッタに形成された水膜によってはね返った洗浄水がシャッタに付着することを抑えることができる。
【００１１】
また、本発明に係る局部洗浄装置では前記水膜形成部は、進出した前記洗浄ノズルが前記開口部の後方に後退した後にも前記シャッタに水を供給してもよい。
このような構成とすることにより、洗浄ノズルが開口部の後方に後退した後もシャッタに汚れが付着することを抑えることができるとともに、シャッタに汚れが付着した場合に、付着した汚れを洗い流すことができる。
【００１２】
また、本発明に係る局部洗浄装置では、前記便器を使用する使用者を検知可能な検知部を有し、前記水膜形成部は、前記検知部が前記使用者を検知すると、前記シャッタに水を供給するように構成されていてもよい。
このような構成とすることにより、便器の使用時にシャッタに水膜が形成され、シャッタに汚水や汚物が付着することを抑えることができる。また、使用者が洗浄ノズルを使用しない場合でも、便器の使用時にシャッタに汚水や汚物が付着することを抑えることができる。
【００１３】
また、本発明に係る局部洗浄装置では、前記検知部は、前記便器が設けられた領域に進入した使用者を検知可能で、前記水膜形成部は、前記検知部が前記使用者を検知すると、前記シャッタに水を供給するように構成されていてもよい。
このような構成とすることにより、便器の使用時にシャッタに水膜が形成され、シャッタに汚水や汚物が付着することを抑えることができる。また、使用者が洗浄ノズルを使用しない場合でも、便器の使用時にシャッタに汚水や汚物が付着することを抑えることができる。
【００１４】
また、本発明に係る局部洗浄装置では、前記検知部は、前記使用者が前記便器の便座に着座した着座状態を検知可能で、前記水膜形成部は、前記検知部が前記着座状態を検知すると、前記シャッタに水を供給するように構成されていてもよい。
このような構成とすることにより、便器の使用時にシャッタに水膜が形成され、シャッタに汚水や汚物が付着することを抑えることができる。また、使用者が洗浄ノズルを使用しない場合でも、便器の使用時にシャッタに汚水や汚物が付着することを抑えることができる。
【００１５】
また、本発明に係る局部洗浄装置では、前記検知部は、前記使用者が前記便器の前側に起立した起立状態を検知可能で、前記水膜形成部は、前記検知部が前記起立状態を検知すると、前記シャッタに水を供給する。
このような構成とすることにより、便器の使用時にシャッタに水膜が形成され、シャッタに汚水や汚物が付着することを抑えることができる。また、使用者が洗浄ノズルを使用しない起立した状態の小便時でも、シャッタに汚水や汚物が付着することを抑えることができる。
【００１６】
また、本発明に係る局部洗浄装置では、前記水膜形成部は、前記検知部が前記使用者を検知してから、前記洗浄ノズルが進出して局部洗浄を行い、局部洗浄を完了した前記洗浄ノズルが後退して、前記シャッタが開口部を閉鎖するまでの間に、前記シャッタに水を供給するように構成されていてもよい。
このような構成とすることにより、便器の使用時にシャッタに水膜が形成され、シャッタに汚水や汚物が付着することを抑えることができる。
【発明の効果】
【００１７】
本発明によれば、便器の使用時にシャッタに汚水や汚物が付着することを抑えることができる。
【図面の簡単な説明】
【００１８】
【図１】本発明の実施形態による便器の一例を示す斜視図である。
【図２】本発明の実施形態による局部洗浄装置の一例を示す斜視図で、第１洗浄ノズルが後退している様子を示す図である。
【図３】本発明の実施形態による局部洗浄装置の一例を示す斜視図で、第１洗浄ノズルが進出している様子を示す図である。
【図４】図２のケースを省略した斜視図である。
【図５】図３のケースを省略した斜視図である。
【図６】図２のＡ−Ａ線断面図である。
【図７】図３のＢ−Ｂ線断面図である。
【図８】図２のＣ−Ｃ線断面図である。
【図９】図３のＤ−Ｄ線断面図である。
【図１０】シャッタを前方から見た斜視図である。
【図１１】シャッタを後方から見た斜視図である。
【図１２】図１０のＥ−Ｅ線断面図である。
【図１３】図１０のＦ−Ｆ線断面図である。
【図１４】水膜形成吐水部の斜視図である。
【発明を実施するための形態】
【００１９】
以下、本発明の実施形態による局部洗浄装置および便器について、図１乃至図１４に基づいて説明する。
図１に示すように、本発明の実施形態による局部洗浄装置１は、便器１１に設けられている。便器１１は、便器本体１２と、便器本体１２に取り付けられた機能部１３と、機能部１３を介して便器本体１２に取付けられた便座１４および便蓋１５と、を有している。
便器本体１２は、便鉢１２１が形成され、床面１６に設置されて排水配管（不図示）に接続されるように構成されている。
機能部１３は、局部洗浄を行う局部洗浄装置１と、局部洗浄装置１を収容するケース２と、を有している。機能部１３は、局部洗浄装置１に加えて、温風乾燥を行う温風乾燥装置（不図示）や、脱臭を行う脱臭装置（不図示）、これらの装置に電力を供給する電力供給装置（不図示）などを適宜有していてよい。機能部１３に設けられている装置は、ケース２に収容され、ケース２によって外部に露出しないように覆われている。
【００２０】
図２および図３に示すように、機能部１３のケース２のうち、局部洗浄装置１の前側に配置される部分を前板部２１とする。前板部２１は、その板面が前側に向かって漸次下側に向かう斜め方向を向くように配置されている。この斜め方向は、後述する局部洗浄装置１の第１洗浄ノズル３および第２洗浄ノズル４の進退方向と略同じ方向となっている。
前板部２１のうちの便鉢１２１（図１参照）の内部を臨む面を前面２１ａとし、その反対側の局部洗浄装置１と対向する面を後面２１ｂとする。
前板部２１の幅方向の略中央部には、板面を貫通する開口部２１ｃが形成されている。開口部２１ｃは、上下方向よりも幅方向に長い形状に形成されている。開口部２１ｃは、局部洗浄装置１の第１洗浄ノズル３および第２洗浄ノズル４が通過するように構成されている。
【００２１】
機能部１３は、便器１１を使用する使用者側から見て便器本体１２の奥側に取り付けられていて、前側に便器本体１２の便鉢１２１が配置されている。便器本体１２に対して機能部１３が取り付けられている側を後側とし、その反対側を前側とし、前側と後側とを結ぶ方向を前後方向とする。この前後方向に直交する水平方向を幅方向とする。
【００２２】
図２および図３に示すように、局部洗浄装置１は、肛門洗浄用の第１洗浄ノズル３（洗浄ノズル）と、ビデ用の第２洗浄ノズル４（洗浄ノズル）と、第１洗浄ノズル３および第２洗浄ノズル４を支持する支持部５と、第１洗浄ノズル３および第２洗浄ノズル４に局部洗浄用の温水を供給する局部洗浄用温水供給部（不図示）と、第１洗浄ノズル３の外周面３９（図３参照）に水を供給して第１洗浄ノズル３の外周面３９および前端面３ｃに水膜を形成する第１洗浄ノズル水膜形成部６と、回動することでケース２の開口部２１ｃを開閉可能なシャッタ２２と、シャッタ２２のシャッタ本体２３の前面２３ａに水を供給して水膜を形成するシャッタ水膜形成部７と、局部洗浄、第１洗浄ノズル水膜形成部６およびシャッタ水膜形成部（水膜形成部）７による水膜の形成を制御する制御部（不図示）と、を有している。
水膜とは、所定の厚さの膜状に広がって流れる水を示し、シャッタ本体２３の前面２３ａに形成される水膜とは、シャッタ本体２３の前面２３ａを膜状に広がって流れる水を示し、第１洗浄ノズル３の外周面３９に形成される水膜とは、第１洗浄ノズル３の外周面３９を膜状に広がって流れる水を示している。
局部洗浄装置１は、機能部１３の幅方向の略中央部に配置されている（図１参照）。
【００２３】
図２−図５に示すように、第１洗浄ノズル３および第２洗浄ノズル４は、それぞれ断面形状が略円形となる丸棒状に形成されている。第１洗浄ノズル３および第２洗浄ノズル４は、それぞれの延びる方向（長さ方向）が前側に向かって漸次下側に向かう斜め方向となるように配置されている。第１洗浄ノズル３および第２洗浄ノズル４は、第１洗浄ノズル３が幅方向の一方側、第２洗浄ノズル４が幅方向の他方側となるように幅方向に並列されている。
上記のように配置された状態における第１洗浄ノズル３および第２洗浄ノズル４の前側かつ下側の端部を前端部３ａ，４ａ（図３−図５参照）とし、後側かつ上側の端部を後端部３ｂ，４ｂする。第１洗浄ノズル３の外周面３９とは、第１洗浄ノズル３の前端部３ａと、後端部３ｂとを、結ぶ面で、第１洗浄ノズル３の長さ方向（軸線方向）に沿った面を示す。
【００２４】
図５に示すように、第１洗浄ノズル３には、後端部３ｂ近傍に局部洗浄用の温水が供給される給水口３１が設けられ、前端部３ａ近傍に局部洗浄用の温水を吐出する洗浄吐水口３２が設けられ、内部に給水口３１と洗浄吐水口３２とをつなぎ温水が流通する流通管３３が設けられている。洗浄吐水口３２は、上方かつ前側に向かう斜め方向に開口し、この斜め方向に向かって局部洗浄用の温水を吐出可能に構成されている。
第１洗浄ノズル３の前端面３ｃは、第１洗浄ノズル３が延びる斜め方向に直交する平面状に形成されている。
【００２５】
図６および図７に示すように、第１洗浄ノズル３の下側には、第１洗浄ノズル３の長さ方向に延びる直線状の第１ラック（ギア）３４が設けられている。第１ラック３４は下側に突出する歯３４１が第１洗浄ノズル３の長さ方向に複数配列されている。
第１ラック３４は、第１洗浄ノズル３の前端部３ａ近傍には設けられておらず、第１洗浄ノズル３における前端部３ａよりも後側に少し間隔をあけた長さ方向の中間部から後端部３ｂまでの範囲に設けられている。
【００２６】
図５に示すように、第２洗浄ノズル４には、後端部４ｂ近傍に局部洗浄用の温水が供給される給水口４１が設けられ、前端部４ａ近傍に局部洗浄用の温水を吐出する洗浄吐水口４２が設けられ、内部に給水口４１と洗浄吐水口４２とをつなぎ温水が流通する流通管４３が設けられている。洗浄吐水口４２は、上方かつ前側に向かう斜め方向に開口し、この斜め方向に向かって局部洗浄用の温水を吐出可能に構成されている。
第２洗浄ノズル４の前端面４ｃは、第２洗浄ノズル４が延びる斜め方向に直交する平面状に形成されている。
【００２７】
図８および図９に示すように、第２洗浄ノズル４の下側には、第２洗浄ノズル４の長さ方向に延びる直線状の第２ラック４４（ギア）が設けられている。第２ラック４４は下側に突出する歯４４１が第２洗浄ノズル４の長さ方向に複数配列されている。
第２ラック４４は、第２洗浄ノズル４の前端部４ａ近傍には設けられておらず、第２洗浄ノズル４における前端部４ａよりも後側に少し間隔をあけた長さ方向の中間部から後端部４ｂまでの範囲に設けられている。
【００２８】
図４および図５に示すように、支持部５は、第１洗浄ノズル３および第２洗浄ノズル４それぞれを、前側に向かって漸次下側に向かう斜め方向に進退可能に支持している。第１洗浄ノズル３および第２洗浄ノズル４が進退する方向の洗浄ノズル進退方向とする。この洗浄ノズル進退方向は、第１洗浄ノズル３および第２洗浄ノズル４の長さ方向と同じ方向に設定されている。
支持部５は、第１洗浄ノズル３および第２洗浄ノズル４が出し入れされる支持部本体５１と、第１洗浄ノズル３の第１ラック３４（図６および図７参照）と噛み合い第１ラック３４とともにラックアンドピニオン機構を構成する第１ピニオン５２と、第２洗浄ノズル４の第２ラック４４（図８および図９参照）と噛み合い第２ラック４４とともにラックアンドピニオン機構を構成する第２ピニオン５３と、第１ピニオン５２および第２ピニオン５３を回転させるモータ５４と、を有している。
【００２９】
支持部本体５１は、第１洗浄ノズル３を出し入れ可能な第１洗浄ノズル挿入部５１１と、第２洗浄ノズル４を出し入れ可能な第２洗浄ノズル挿入部５１２と、を有している。第１洗浄ノズル挿入部５１１と第２洗浄ノズル挿入部５１２とは、平行に設けられている。
【００３０】
第１洗浄ノズル挿入部５１１は、洗浄ノズル進退方向に支持部本体５１を貫通するように形成され、洗浄ノズル進退方向の下側かつ前側の開口から第１洗浄ノズル３が進退可能に構成されている。本実施形態では、支持部本体５１には、第１洗浄ノズル挿入部５１１の下側かつ前側の端部近傍の上側の部分に下側かつ前側に開口する切欠き部５１３が形成されている。この切欠き部５１３は、第１洗浄ノズル挿入部５１１に挿入された第１ノズルの上面を上方に露出させている。
【００３１】
第２洗浄ノズル挿入部５１２は、洗浄ノズル進退方向に支持部本体５１を貫通するように形成され、洗浄ノズル進退方向の下側かつ前側の開口から第２洗浄ノズル４が進退可能に構成されている。
【００３２】
図６および図７に示すように、第１ピニオン５２は、円板状に形成され、外周部全体に歯５２１が形成されている。
第１ピニオン５２は、回転軸が幅方向に延びる向きで第１ラック３４の下側に配置され、外周部に形成された歯５２１が第１ラック３４の歯３４１と噛み合うように構成されている。第１ピニオン５２は、モータ５４（図４および図５参照）の駆動によって回転軸回りに回転することによって、第１ラック３４を斜め方向（線状ラックの進退方向）に移動させるように構成されている。
【００３３】
第２ピニオン５３は、円板状に形成され、外周部全体に歯５３１が形成されている。
第２ピニオン５３は、回転軸が幅方向に延びる向きで第２ラック４４の下側に配置され、外周部に形成された歯５３１が第２ラック４４の歯４４１と噛み合うように構成されている。第２ピニオン５３は、モータ５４（図４および図５参照）の駆動によって回転軸回りに回転することによって、第２ラック４４を斜め方向（洗浄ノズルの進退方向）に移動させるように構成されている。
【００３４】
図４−図７に示すように、第１洗浄ノズル水膜形成部６は、第１洗浄ノズル３の外周面３９（図５参照）に水を供給する水膜形成用給水管６１と、水膜形成用給水管６１に水を供給する水膜形成用水供給部（不図示）と、を有している。
【００３５】
水膜形成用給水管６１は、支持部本体５１の上部に設置されている。水膜形成用給水管６１の水膜吐水口６２は、支持部本体５１に形成された切欠き部５１３の上部に配置されている。水膜吐水口６２は、第１洗浄ノズル３の軸線の鉛直方向上側に配置されている。水膜吐水口６２から吐水された水は、第１洗浄ノズル３の軸線の上方となる外周面３９の上部側３９ａに落ちるように構成されている。水膜形成用給水管６１の水膜吐水口６２は、前側かつ下側に向かって開口し、この方向に水膜形成用の水を吐出するように構成されている。水膜吐水口６２から吐水される水の方向と、第１洗浄ノズル３の進退方向（長さ方向）とは、鋭角を成すように交差している。
【００３６】
第１洗浄ノズル水膜形成部６は、第１洗浄ノズル３が進出した状態となると、第１洗浄ノズル３に水膜吐水口６２からを吐水するように制御されている。本実施形態では、第１洗浄ノズル水膜形成部６は、第１洗浄ノズル挿入部５１１に収容された状態の第１洗浄ノズル３が第１洗浄ノズル挿入部５１１から進出し始めた状態から、進出したノズルが後退し第１洗浄ノズル挿入部５１１に収容される直前まで、第１洗浄ノズル３の外周面３９に水膜吐水口６２から吐水するように制御されている。
【００３７】
水膜吐水口６２から第１洗浄ノズル３に吐水されると、吐水された水が第１洗浄ノズル３の外周面３９の上部側３９ａに沿って斜め方向に前端面３ｃに向かって流れ、前端面３ｃに入り込んだ水が前端面３ｃに沿って下側に流れるとともに、第１洗浄ノズル３の外周面３９の上部側３９ａ側から幅方向の両側に流れ、外周面３９に沿って外周面３９の下部側３９ｂに流れるように構成されている。これにより、水膜吐水口６２から第１洗浄ノズル３に吐水された水によって、第１洗浄ノズル３の外周面３９および前端面３ｃに水膜を形成するように構成されている。
水膜吐水口６２から吐水されて第１洗浄ノズル３の洗浄吐水口３２のまわりに水膜を形成している水の水勢は、第１洗浄ノズル３の洗浄吐水口３２から吐水される局部洗浄用の温水の水勢よりも弱くなるように設定されている。
水勢とは、吐出する水や流れる水の勢いを示し、吐出する水や流れる水の量や速さによって決定される。
【００３８】
制御部は、使用者が操作する操作部からの信号を受信可能に構成されている。操作部には、肛門洗浄、ビデ洗浄、温風乾燥などの開始・停止や、肛門洗浄、ビデ洗浄、温風乾燥などの強弱などを操作できるボタンなどの操作手段が設けられている。
【００３９】
シャッタ２２は、開口部２１ｃを前側から開閉するシャッタ本体２３と、ケース２に支持された回動軸部２４と、シャッタ本体２３と回動軸部２４とを連結する一対の連結アーム２５と、を有している。シャッタ２２のシャッタ本体２３の上部には、シャッタ本体２３の前面２３ａに吐水する水膜形成吐水部７１が取り付けられている。
【００４０】
図２、図３、図１０および図１１に示すように、シャッタ本体２３は、ケース２の開口部２１ｃ（図２参照）よりもやや大きく、開口部２１ｃを閉塞可能な大きさの板状に形成されている。シャッタ本体２３の板面は、縦方向よりも横方向に長い形状に形成され、横方向が幅方向となり、縦方向が上下方向または、縦方向の一方側が上側、他方側が下側となる斜め方向となる向きに配置されている。以下のシャッタ２２の説明では、シャッタ本体２３の縦方向の一方側を上側とし、他方側を下側とする。
シャッタ本体２３は、開口部２１ｃを閉塞すると、前板部２１と重なり、洗浄ノズルの進退方向と略同じ方向を向くように配置される。
シャッタ本体２３は、開口部２１ｃを閉塞した際に便鉢１２１（図１参照）の内部を向く面を前面２３ａとし、その反対側の開口部２１ｃと対向する面を後面２３ｂとする。
【００４１】
シャッタ本体２３は、上縁部および下縁部が幅方向に延び、上縁部よりも下縁部のほうが短く、上側から下側に向かって幅方向の寸法が小さくなる形状に形成されている。シャッタ本体２３の両側縁部（幅方向の両側の縁部）は、上部側が上下方向に延び、下部側が下側に向かって漸次幅方向の内側に向かって互いに近接する斜め方向に延びている。
【００４２】
シャッタ本体２３の外縁部には、前側に突出する第１、第２、第３リブ（突出壁）２３２ａ，２３２ｂ，２３２ｃが設けられている。
第１リブ２３２ａは、シャッタ本体２３の外縁部のうちの幅方向一方側の側縁部全体と、下縁部の幅方向一方側の端部近傍の部分に連続して設けられている。
第２リブ２３２ｂは、シャッタ本体２３の外縁部のうちの幅方向他方側の側縁部全体と、下縁部の幅方向他方側の端部近傍の部分に連続して設けられている。
第３リブ２３２ｃは、シャッタ本体２３の外縁部のうちの下縁部の幅方向の中間部に設けられている。
【００４３】
第１リブ２３２ａと第２リブ２３２ｂとの間に第３リブ２３２ｃが設けられている。第３リブ２３２ｃは、第１リブ２３２ａおよび第２リブ２３２ｂと幅方向に離間している。
第１リブ２３２ａと第３リブ２３２ｃとの間の空間を第１切り欠き部２３３ａとし、第２リブ２３２ｂと第３リブ２３２ｃとの間の空間を第２切り欠き部２３３ｂとする。
第１切り欠き部２３３ａは、第１洗浄ノズル３と前後方向および上下方向に重なる位置に配置されている。第２切り欠き部２３３ｂは、第２洗浄ノズル４と前後方向および上下方向に重なる位置に配置されている。
シャッタ本体２３の外縁部のうちの上縁部にはリブが設けられていない。
シャッタ本体２３の後面２３ｂには、幅方向の他方側で第２洗浄ノズル４と対向する位置に突起部２３１（図３および図１１参照）が形成されている。
【００４４】
回動軸部２４は、軸線が直線となる棒状に形成され、軸線方向が幅方向となる向きに配置されている。回動軸部２４は、前板部２１の後側に配置され、その両端部が前板部２１の後側で開口部２１ｃの上方に設けられた軸支持部２６（図２および図３参照）に支持されている。回動軸部２４は、軸支持部２６に支持されると幅方向に延びる軸線回りに回動可能に構成されている。
【００４５】
一対の連結アーム２５は、それぞれ略Ｃ字形状形成されている。一対の連結アーム２５は、Ｃ字形を形成する一方の端部２５ａが回動軸部２４と接続され、他方の端部２５ｂがシャッタ本体２３の上縁部と接続されている。
一対の連結アーム２５のうちの一方の連結アーム２５は、シャッタ本体２３および回動軸部２４の幅方向の一方側の端部近傍と接続され、他方の連結アーム２５は、シャッタ本体２３および回動軸部２４の幅方向の他方側の端部近傍と接続されている。一対の連結アーム２５は、回動軸部２４を中心とした回動によって、開口部２１ｃの内部に挿通可能な位置に配置されている。
【００４６】
図２に示すように、シャッタ本体２３が開口部２１ｃを閉鎖している状態では、一対の連結アーム２５は、それぞれ前板部２１の後側（ケース２の内部）に配置され、シャッタ本体２３側の端部（他方の端部）２５ｂが回動軸部２４側の端部（一方の端部）２５ａよりも下側かつ後側に配置され、外形のＣ字形が前側かつ下側を向く斜め方向に開口する向きとなっている。
【００４７】
この状態から、回動軸部２４を中心にシャッタ２２が前側に回動すると、図３に示すように、一対の連結アーム２５の回動軸部２４側の端部２５ａよりもシャッタ本体２３側の端部２５ｂが上側かつ前側となり、外形のＣ字形が前側かつ上側を向く斜め方向に開口する向きとなり、シャッタ本体２３が前板部２１から離れて開口部２１ｃを開口した状態となる。
この状態では、一対の連結アーム２５それぞれの内側（外形のＣ字形の内部）に前板部２１における開口部２１ｃの上側の部分が配置されている。シャッタ本体２３は、前面２３ａが前側かつ上側となる斜め方向を向き、後面２３ｂが後側かつ下側となる斜め方向を向いている。
【００４８】
シャッタ２２は、開口部２１ｃを閉鎖している状態となるように付勢されている。このため、シャッタ２２は、開口部２１ｃを開口する方向への外力が作用すると回動して開口部２１ｃを開口し、開口部２１ｃを開口する方向への外力が無くなると、復元されて開口部２１ｃを閉鎖している。
【００４９】
図１０−図１３に示すように、シャッタ水膜形成部７は、シャッタ本体２３の上部にとりつけられてシャッタ本体２３の前面２３ａに吐水する水膜形成吐水部７１と、水膜形成吐水部７１の前側に設けられるカバー部７２と、水膜形成吐水部７１に水を供給する水膜形成用水供給部（不図示）と、を有している。
図１０−図１４に示すように、水膜形成吐水部７１は、長尺の部材で、幅方向に延びる向きでシャッタ本体２３の状縁部に沿って設けられている。水膜形成吐水部７１の内部には、長さ方向に延びる空部で水が流通する流水部７３が形成されている。流水部７３は、水膜形成吐水部７１を長さ方向に貫通しないように形成されている。
【００５０】
水膜形成吐水部７１の幅方向の一方側には、流水部７３と水膜形成吐水部７１の外部とを連通する給水口７４が形成されている。給水口７４には水膜形成用水供給部の給水管が接続されている。水膜形成用水供給から供給される水は、給水口７４から流水部７３に流れ込むように構成されている。給水口７４から流水部７３に流れ込んだ水は、流水部７３の幅方向の一方側（給水口７４に近接する側）から他方側（給水口７４と離間する側）に向かって流れる。流水部７３に対して、幅方向の一方側が流水方向の上流側、幅方向の他方側が流水方向の下流側となっている。
【００５１】
水膜形成吐水部７１には、水膜形成吐水部７１の長さ方向全体にわたって互いに長さ方向に間隔をあけた位置に前側に開口する複数の吐水口７６，７６…が形成されている。複数の吐水口７６，７６…は、水膜形成吐水部７１の長さ方向に配列されて、それぞれ流水部７３の内部と水膜形成吐水部７１の前方とを連通している。
複数の吐水口７６，７６…は、シャッタ本体２３の前面２３ａの上方に配置されていている。複数の吐水口７６，７６…から吐水された水は、シャッタ本体２３の前面２３ａを伝わって下方に流れるように構成されている。
複数の吐水口７６，７６…の内径は、流水部７３の上流側に接続されている吐水口７６よりも流水部７３の下流側に接続されている吐水口７６のほうが漸次大きくなるように設定されている。
【００５２】
カバー部７２は、水膜形成吐水部７１における複数の吐水口７６，７６…の上側から前側に延びる上板部７２１と、上板部７２１の前縁部から下側に延びる前板部７２２と、を有している。前板部７２２は、複数の吐水口７６，７６…と前後方向（複数の吐水口７６，７６…が開口する方向）に重なる位置に配置されている。複数の吐水口７６，７６…から吐水された水は、水膜形成吐水部７１と前板部７２２との隙間を下側に向かって流れ、シャッタ本体２３の前面２３ａに流れ込み、シャッタ本体２３の前面２３ａに水膜を形成するように構成されている。
【００５３】
続いて、本実施形態の局部洗浄装置１による局部洗浄を行う際の動作について説明する。
操作部が操作されて、制御部が肛門洗浄開始の信号を受信すると、図９に示すように、第２洗浄ノズル４が洗浄ノズルの進退方向の前側に進出する。第２洗浄ノズル４の前端部４ａがシャッタ２２の突起部２３１と当接し、さらに前側に進出すると、シャッタ２２を回動させて押し上げ、シャッタ２２が開口部２１ｃを開口した状態となる。第２洗浄ノズル４は、シャッタ２２を押し上げて開口部２１ｃを開口する位置となると、さらに前方への進出が停止される。このとき、第２洗浄ノズル４は、前端部４ａが突起部２３１と当接し、シャッタ本体２３の前端部よりも後側に配置されている。
【００５４】
第２洗浄ノズル４の進出と同時または少し遅れて、第１洗浄ノズル３が洗浄ノズルの進退方向の前側に進出する。このとき、シャッタ２２は開口部２１ｃを開口している状態であるため、図７に示すように、第１洗浄ノズル３は、ケース２の開口部２１ｃから進出し、シャッタ２２と当接せずに開口部２１ｃを通過し、シャッタ２２の下側を通って前端部３ａがシャッタ２２よりも前側となる位置に進出する。
第１洗浄ノズル３は、シャッタ本体２３の後面２３ｂの下側に配置され、シャッタ本体２３の後面２３ｂと上下方向に離間している。また、第１洗浄ノズル３は、開口部２１ｃの縁部とも離間している。
第１洗浄ノズル３が最前端まで進出すると、第１洗浄ノズル３の洗浄吐水口３２から局部洗浄用の温水が吐水され、肛門洗浄が行われる。
【００５５】
肛門洗浄が開始してから所定の時間が経過する、または制御部が肛門洗浄を停止する信号を受信すると、第１洗浄ノズル３の洗浄吐水口３２からの吐水が終了する。
局部洗浄が終了すると、第１洗浄ノズル３は、洗浄ノズルの進退方向の後側に後退し、支持部５の第１洗浄ノズル挿入部５１１に収容される。第１洗浄ノズル３が第１洗浄ノズル挿入部５１１に収容されると、第２洗浄ノズル４も洗浄ノズルの進退方向の後側に後退し、支持部５の第２洗浄ノズル挿入部５１２に収容される。
上述したように、シャッタ２２は、開口部２１ｃを閉鎖している状態となるように付勢されているため、第２洗浄ノズル４が後退し、シャッタ２２に開口部２１ｃを開口する方向への外力が作用しなくなると、シャッタ２２は開口部２１ｃを閉鎖する方向に回動して開口部２１ｃを閉鎖する。
【００５６】
第２洗浄ノズル４の進出が開始してから、第１洗浄ノズル３も進出し、進出した第１洗浄ノズル３および第２洗浄ノズル４が後退して支持部５の第１洗浄ノズル挿入部５１１および第２洗浄ノズル挿入部５１２に収容されるまでの間、シャッタ水膜形成部７が駆動し、水膜形成吐水部７１の複数の吐水口７６，７６…からシャッタ本体２３の前面２３ａに上側から水膜を形成するための水を吐水する。
【００５７】
複数の吐水口７６，７６…から吐水された水は、水膜形成吐水部７１と前板部７２２との隙間を下側に向かって流れ、シャッタ本体２３の前面２３ａに上側から流れ込み、シャッタ本体２３の前面２３ａに沿って下側に向かって流れ、シャッタ本体２３の前面２３ａに水膜を形成する。
シャッタ本体２３の前面２３ａを流れる水は、シャッタ本体２３から幅方向の外側に流れようとしても、第１リブ２３２ａおよび第２リブ２３２ｂによって下側にガイドされるため、シャッタ本体２３の前面２３ａに水膜を形成することができる。
【００５８】
シャッタ本体２３の前面２３ａを流れた水は、シャッタ本体２３の下縁部の第１切り欠き部２３３ａおよび第２切り欠き部２３３ｂから下側に流れる。第１切り欠き部２３３ａおよび第２切り欠き部２３３ｂとの間には前側に突出する第３リブ２３２ｃが設けられているため、第３リブ２３２ｃの上に流れてきた水は、第３リブ２３２ｃに沿って幅方向に移動し、第１切り欠き部２３３ａおよび第２切り欠き部２３３ｂから下側に流れる。
第１切り欠き部２３３ａの下側には、進出した第１洗浄ノズル３（図３参照）が配置されているため、シャッタ本体２３の前面２３ａを流れて、第１切り欠き部２３３ａに入り込んだ水は、第１洗浄ノズル３に流れ込む。
【００５９】
本実施形態では、複数の吐水口７６，７６…の内径は、流水部７３の上流側に接続されている吐水口７６よりも流水部７３の下流側に接続されている吐水口７６のほうが漸次大きくなるように設定されている。このため、流水部７３の内部において、下流側のほうが上流側よりも水圧が小さい場合でも、下流側の吐水口７６の内径のほうが上流側の吐水口７６の内径よりも大きいため、下流側の吐水口７６からの流量を上流側の吐水口７６からの流量とほぼ同じ流量とすることができる。
【００６０】
また、第１洗浄ノズル３の進出が開始してから、第１洗浄ノズル３が後退して支持部５の第１洗浄ノズル挿入部５１１に収容されるまでの間、図５に示すように、第１洗浄ノズル水膜形成部６が駆動し、水膜吐水口６２から第１洗浄ノズル３の外周面３９の上部側３９ａに上方から水膜を形成するための水を吐水する。
水膜吐水口６２から吐出された水は、第１洗浄ノズル３の外周面３９の上部側３９ａに沿って斜め方向に前端面３ｃに向かって流れ、前端面３ｃに入り込んだ水が前端面３ｃに沿って下側に流れるとともに、第１洗浄ノズル３の外周面３９の上部側３９ａ側から幅方向の両側に流れ、外周面３９に沿って外周面３９の下部側に流れる。そして、水膜吐水口６２から第１洗浄ノズル３に吐水された水によって、第１洗浄ノズル３の外周面３９および前端面３ｃに水膜を形成する。第１洗浄ノズル３が最前端に進出している状態では、水膜吐水口６２から吐出された水は、第１洗浄ノズル３の後端部３ｂ近傍の上側に供給される。
【００６１】
上述したように、シャッタ水膜形成部７によってシャッタ本体２３の前面２３ａを流れた水が第１切り欠き部２３３ａから第１洗浄ノズル３に流れ込むため、シャッタ水膜形成部７によってシャッタ本体２３の前面２３ａに水膜を形成した水のうちの第１洗浄ノズル３に流れ込んだ水は、第１洗浄ノズル水膜形成部６の水膜吐水口６２から吐水された水とともに第１洗浄ノズル３の外周面３９および前端面３ｃに水膜を形成する。
【００６２】
なお、上述したように水膜吐水口６２から吐水されて第１洗浄ノズル３の洗浄吐水口３２のまわりに水膜を形成している水の水勢は、第１洗浄ノズル３の洗浄吐水口３２から吐水される局部洗浄用の温水の水勢よりも弱くなるように設定されているため、第１洗浄ノズル３から洗浄水が吐水されている際に、第１洗浄ノズル３から吐水された局部洗浄用の温水に水膜を形成する水が混ざることを防止することができる。
また、シャッタ水膜形成部７によってシャッタ本体２３の前面２３ａに水膜を形成した水の水勢も第１洗浄ノズル３の洗浄吐水口３２から吐水される局部洗浄用の温水の水勢よりも弱くなるように設定されている。このため、第１洗浄ノズル３から吐水された局部洗浄用の温水に、シャッタ水膜形成部７によってシャッタ本体２３の前面２３ａに水膜を形成した水が混ざることを防止することができる。
【００６３】
操作部が操作されて、制御部がビデ洗浄開始の信号を受信すると、図９に示すように、第２洗浄ノズル４が洗浄ノズルの進退方向の前側に進出する。第２洗浄ノズル４がシャッタ２２の突起部２３１と当接し、さらに前側に進出すると、シャッタ２２を押し上げてシャッタ２２が開口部２１ｃを開口した状態となる。第２洗浄ノズル４は、さらに前方への進出し、最前端（図９の二点鎖線の位置）まで進出すると、第２洗浄ノズル４の洗浄吐水口４２から局部洗浄用の温水が吐水され、ビデ洗浄が行われる。
【００６４】
ビデ洗浄が開始してから所定の時間が経過する、または制御部がビデ洗浄を停止する信号を受信すると、第２洗浄ノズル４の洗浄吐水口４２からの吐水が終了する。
ビデ洗浄が終了すると、第２洗浄ノズル４は、洗浄ノズルの進退方向の後側に後退し、支持部５の第２洗浄ノズル挿入部５１２に収容される。上述したように、シャッタ２２は、開口部２１ｃを閉鎖している状態となるように付勢されているため、第２洗浄ノズル４が後退し、シャッタ２２に開口部２１ｃを開口する方向への外力が作用しなくなると、シャッタ２２は開口部２１ｃを閉鎖する方向に回動して開口部２１ｃを閉鎖する。
【００６５】
第２洗浄ノズル４の進出が開始してから、第２洗浄ノズル４が後退して支持部５の第２洗浄ノズル挿入部５１２に収容されるまでの間、シャッタ水膜形成部７が駆動し、水膜形成吐水部７１の複数の吐水口７６，７６…からシャッタ本体２３の前面２３ａに上側から水膜を形成するための水を吐水する。シャッタ水膜形成部７の駆動は、上述した第１洗浄ノズル３の進出が開始してから、第１洗浄ノズル３が後退して支持部５の第１洗浄ノズル挿入部５１１に収容されるまでの間の駆動と同様である。
【００６６】
そして、シャッタ本体２３の前面２３ａを流れた水は、シャッタ本体２３の下縁部の第１切り欠き部２３３ａおよび第２切り欠き部２３３ｂから下側に流れる。第２切り欠き部２３３ｂの下側には、進出した第２洗浄ノズル４が配置されているため、シャッタ本体２３の前面２３ａを流れて、第２切り欠き部２３３ｂに入り込んだ水は、第２洗浄ノズル４（図９参照）に流れ込む。第２洗浄ノズル４に流れ込んだ水は、第２洗浄ノズル４に沿って下方に流れ、第２洗浄ノズル４の外周面および前端面４ｃに水膜を形成する。
なお、本実施形態の局部洗浄装置１には、第２洗浄ノズル４に直接水を供給して水膜が形成する機構が設けられていない。
【００６７】
次に、上述した本実施形態による局部洗浄装置および便器の作用・効果について図面を用いて説明する。
上述した本実施形態による局部洗浄装置１では、シャッタ水膜形成部７は、第２洗浄ノズル４の進出が開始してから、第１洗浄ノズル３も進出し、進出した第１洗浄ノズル３および第２洗浄ノズル４が後退して支持部５の第１洗浄ノズル挿入部５１１および第２洗浄ノズル挿入部５１２に収容されるまでの間、および第２洗浄ノズル４の進出が開始してから、第２洗浄ノズル４が後退して支持部５の第２洗浄ノズル挿入部５１２に収容されるまでの間に、シャッタ本体２３の前面２３ａに水を供給する。これにより、第１洗浄ノズル３または第２洗浄ノズル４が進出している便器１１の使用時に、シャッタ本体２３の前面２３ａに水膜が形成される。そして、シャッタ本体２３の前面２３ａに形成された水膜によって、便器１１の使用時にシャッタ本体２３の前面２３ａに汚水や汚物が付着することを抑えることができる。
【００６８】
また、第１洗浄ノズル３または第２洗浄ノズル４で局部洗浄を行う期間にシャッタ本体２３の前面２３ａに水膜を形成することができるため、局部洗浄用の洗浄水が使用者や便器１１の便鉢１２１（図１参照）にあたってシャッタ本体２３の前面２３ａに向かってはね返ったとしても、シャッタ本体２３の前面２３ａに形成された水膜によってはね返った洗浄水がシャッタ本体２３の前面２３ａに付着することを抑えることができる。
【００６９】
以上、本発明による局部洗浄装置および便器の実施形態について説明したが、本発明は上記の実施形態に限定されるものではなく、その趣旨を逸脱しない範囲で適宜変更可能である。
例えば、上記の実施形態では、シャッタ水膜形成部７は、第２洗浄ノズル４の進出が開始してから、第１洗浄ノズル３も進出し、進出した第１洗浄ノズル３および第２洗浄ノズル４が後退して支持部５の第１洗浄ノズル挿入部５１１および第２洗浄ノズル挿入部５１２に収容されるまでの間、および第２洗浄ノズル４の進出が開始してから、第２洗浄ノズル４が後退して支持部５の第２洗浄ノズル挿入部５１２に収容されるまでの間に、シャッタ本体２３の前面２３ａに水を供給するように構成されている。
【００７０】
これに対し、シャッタ水膜形成部７は、第１洗浄ノズル３または第２洗浄ノズル４が進出し、第１洗浄ノズル３または第２洗浄ノズル４で局部洗浄を行う期間のみに、シャッタ本体２３の前面２３ａに水を供給するように構成されていてもよい。
また、シャッタ水膜形成部７は、進出した第１洗浄ノズル３または第２洗浄ノズル４が後退してシャッタ２２が開口部２１ｃ閉鎖した後にもシャッタ２２の前面２３ａに水を供給して水膜を形成するように構成されていてもよい。
【００７１】
また、便器１１を使用する使用者を検知可能な検知部が設けられていて、シャッタ水膜形成部７は、検知部が使用者を検知すると、第１洗浄ノズル３および第２洗浄ノズル４の進退にかかわらずシャッタ２２の前面２３ａに水を供給して水膜を形成するように構成されていてもよい。
このような場合、検知部は、便器１１が設けられた便所や、便器と洗面所などが設けられた水回り室、または便器１１の近傍の所定の領域に使用者が親友したことを検知可能で、シャッタ水膜形成部７は、検知部が使用者を検知するとシャッタ２２の前面２３ａに水を供給して水膜を形成するように構成されていてもよい。
また、検知部は、使用者が便器１１の便座１４に着座した着座状態を検知可能で、シャッタ水膜形成部７は、検知部が使用者の着座状態を検知すると、シャッタ２２の前面２３ａに水を供給して水膜を形成するように構成されていてもよい。
また、検知部は、使用者が便器１１の前側に起立した起立状態を検知可能で、シャッタ水膜形成部７は、検知部が使用者の起立状態を検知すると、シャッタ２２の前面２３ａに水を供給して水膜を形成するように構成されていてもよい。
【００７２】
シャッタ水膜形成部７は、検知部が使用者を検知してから使用者を検知しなくなるまでの期間に、シャッタ２２の前面２３ａに水を供給して水膜を形成するように構成されていてもよいし、検知部が使用者を検知してから一定期間が経過するまでの期間にシャッタ２２の前面２３ａに水を供給して水膜を形成するように構成されていてもよい。
【００７３】
また、検知部が使用者を検知してシャッタ水膜形成部７がシャッタ２２の前面２３ａに水を供給して水膜を形成している間に、第１洗浄ノズル３または第２洗浄ノズル４による局部洗浄が行われる場合は、シャッタ水膜形成部７は、検知部が使用者を検知してから進出して局部洗浄行った第１洗浄ノズル３および第２洗浄ノズル４が後退して、シャッタ２２が開口部２１ｃを閉鎖するまでの期間に、シャッタ２２の前面２３ａに水を供給して水膜を形成するように構成されていてもよい。
また、シャッタ２２の前面２３ａに水を供給して水膜を形成しているシャッタ水膜形成部７は、シャッタ２２が開口部２１ｃを閉鎖した後に所定の時間が経過するまでシャッタ２２の前面２３ａに水を供給して水膜を形成するように構成されていてもよい。
【００７４】
また、上記の実施形態では、シャッタ本体２３の前面２３ａの外縁部には、前側に突出する第１〜第３リブ２３２ａ〜２３２ｃおよび第１、第２切り欠き部２３３ａ，２３３ｂが形成されているが、第１〜第３リブ２３２ａ〜２３２ｃおよび第１、第２切り欠き部２３３ａ，２３３ｂが形成されていなくてもよい。
また、シャッタ本体２３の前面２３ａの外縁部には、前側に突出するリブのみが形成され、切り欠き部が形成されていなくてもよい。また、シャッタ本体２３の前面２３ａの外縁部に、前側に突出するリブ、および切り欠き部が形成される場合は、切り欠き部の位置や数は適宜設定されてよい。
【００７５】
また、上記の実施形態では、シャッタ水膜形成部７は、シャッタ本体２３の前面２３ａに水膜を形成しているが、シャッタ本体２３の後面２３ｂや、シャッタ本体２３の前面２３ａおよび後面２３ｂに水膜を形成してもよい。また、シャッタ水膜形成部７は、シャッタ本体２３の後面２３ｂや、シャッタ本体２３の前面２３ａおよび後面２３ｂの全体でなく、部分的に水膜を形成してもよい。
【００７６】
また、上記の実施形態では、シャッタ水膜形成部７の複数の吐水口７６，７６…は、シャッタ本体２３の前面２３ａの上縁部に沿って間隔をあけて配列されている、吐水口７６の数や位置は適宜設定されてよい。例えば、吐水口が１つだけ設けられていてもよいし、１つだけ設けられた吐水口がスリット状に形成されていてもよい。
また、上記の実施形態では、シャッタ水膜形成部７の複数の吐水口７６，７６…の内径は、流水部７３の上流側に接続されている吐水口７６よりも流水部７３の下流側に接続されている吐水口７６のほうが漸次大きくなるように設定されているが、吐水口７６の内径は適宜設定されてよい。
【００７７】
また、上記の実施形態では、シャッタ本体２３の後面に突起部２３１が形成され、第２洗浄ノズル４が突起部２３１と当接してシャッタ２２を押し上げることで開口部２１ｃを開口するように構成されているが、シャッタ本体２３には突起部２３１が形成されておらず、第２洗浄ノズル４に設けられた突起部２３１がシャッタ本体２３と当接してシャッタ本体２３を押し上げて開口部２１ｃを開口するように構成されていてもよい。
また、シャッタ本体２３を押し上げるためのリンク機構が設けられていて、第２洗浄ノズル４の進退によってリンク機構が作動し、シャッタ２２を回動させるように構成されていてもよい。
【００７８】
また、上記の実施形態では、第２洗浄ノズル４の進退によってシャッタ２２を開閉するように構成されているが、第１洗浄ノズル３の進退によってシャッタ２２を開閉するように構成されていてもよい。
例えば、シャッタ本体２３の後側の面における第１洗浄ノズル３と対向する位置に突起部が設けられていて、進退する第１洗浄ノズル３がこの突起部を押し上げたり、突起部と離間したりすることでシャッタ２２を開閉するように構成されていてもよい。また、第１洗浄ノズル３に外周面３９から突出する突起部が設けられていて、進退する第１洗浄ノズル３の突起部がシャッタ本体２３を押し上げたりシャッタ本体２３と離間したりすることでシャッタ２２を開閉するように構成されていてもよい。
【００７９】
このような場合も、第１洗浄ノズル３の外周面３９は、シャッタ本体２３と当接することがなく、第１洗浄ノズル３の外周面３９に形成された水膜にシャッタ本体２３が干渉することがない。
また、局部洗浄装置１には、シャッタ２２を開閉するモータなどが設けられていて、第１洗浄ノズル３や第２洗浄ノズル４の進退によらずモータの駆動によってシャッタ２２を開閉するように構成されていてもよい。
【００８０】
また、上記の実施形態では、第１洗浄ノズル３および第２洗浄ノズル４の進退機構は、第１洗浄ノズル３および第２洗浄ノズル４の下側に設けられた線状のラック３４，４４とそれぞれのラック３４，４４の下側に設けられたピニオン５２，５３で構成されている。これに対し、第１洗浄ノズル３および第２洗浄ノズル４の進退機構は、第１洗浄ノズル３および第２洗浄ノズル４に接続されたベルト状のラックがそれぞれピニオンに巻き取り巻き出しされることで第１洗浄ノズル３および第２洗浄ノズル４を進退させるように構成されていてもよい。
【００８１】
また、上記の実施形態による局部洗浄装置１には、第１洗浄ノズル３の外周面３９および前端面３ｃに水膜を形成する第１洗浄ノズル水膜形成部６が設けられているが、第１洗浄ノズル水膜形成部６が設けられていなくてもよい。また、第２洗浄ノズル４の外周面に水膜を形成する機構が設けられていてもよい。
【符号の説明】
【００８２】
１  局部洗浄装置
３  第１洗浄ノズル（洗浄ノズル）
４  第２洗浄ノズル（洗浄ノズル）
７  シャッタ水膜形成部（水膜形成部）
１１  便器
２１ｃ  開口部
２２  シャッタ
２３  シャッタ本体
２３ａ  前面
【図１】
2019173288.tif 000003
【図２】
2019173288.tif 000004
【図３】
2019173288.tif 000005
【図４】
2019173288.tif 000006
【図５】
2019173288.tif 000007
【図６】
2019173288.tif 000008
【図７】
2019173288.tif 000009
【図８】
2019173288.tif 000010
【図９】
2019173288.tif 000011
【図１０】
2019173288.tif 000012
【図１１】
2019173288.tif 000013
【図１２】
2019173288.tif 000014
【図１３】
2019173288.tif 000015
【図１４】
2019173288.tif 000016